(57)【特許請求の範囲】
【請求項１】
シリンダボアの外部に設けられたカム軸にクランク軸の回転をカムチェーンによって伝達し、プッシュロッドおよびロッカーアームを介して給・排気弁を作動させる内燃機関において、チェーンガイドの下端近傍に設けられた第１の突起をクランクケースのクランク軸近傍に設けられた第１の位置決め溝に嵌合させるとともに、シリンダブロックの下面に設けられ、突起固定位置から開口部に向かって次第に拡大する第２の位置決め溝に上記チェーンガイドの第２の突起を嵌合させるようにしたことを特徴とするカムチェーンガイドの取付装置。
【発明の詳細な説明】
【０００１】
【発明の属する技術分野】
本出願発明は、内燃機関の動弁系に動力を伝達するカムチェーンのチェーンガイドの取付構造に関するものである。
【０００２】
【従来の技術】
図１３は従来の内燃機関のカムチェーンとチェーンガイドの一例を示す正面図である。クランク軸スプロケット01とカム軸スプロケット02との間にカムチェーン03が巻掛けられ、クランク軸01ａの回転をカム軸02ａに伝達する。04はクランクケース、05はシリンダブロック、06はシリンダヘッド、07はヘッドカバーであって、順次組上げられ、固定される。
【０００３】
08は上記カムチェーン03に沿って配されたチェーンガイドであって、下端に設けられた第１の突起08ａがクランクケース04のクランク軸近傍に設けられた第１の位置決め溝09に嵌合している。また上部に設けられた第２の突起08ｂがシリンダブロック05の上面に設けられた第２の位置決め溝010に嵌合している。011は上記チェーンガイド08と対向する位置で上記カムチェーン03に沿って配されたチェーンテンショナーであって、下端が枢軸011ａにより枢支され、上部が油圧装置012により上記カムチェーン03に押し付けられて、カムチェーン03のゆるみを抑止している。
【０００４】
【発明が解決しようとする課題】
カム軸をシリンダボアの外部に設け、カム軸の回転によりプッシュロッドおよびロッカーアームを介して給・排気弁を作動させるオーバーヘッドバルブ方式の場合、カム軸の位置が低く、またクランク軸の真上から大きくずれるため、チェーンガイド位置決め用の溝をシリンダブロックの上面に設けることが困難である。また、カムチェーンの回動方向、すなわちチェーンガイドの長手方向が鉛直方向から偏るため、クランクケースに植え込まれたスタッドボルトに沿ってシリンダブロックを組付ける際、チェーンガイドがあらかじめ固定されてしまっていると、チェーンガイドの上端部がシリンダブロックの内壁と干渉して、シリンダブロックを組付けることができない。
【０００５】
【課題を解決するための手段および効果】
本発明は前記課題を解決するために、シリンダボアの外部に設けられたカム軸にクランク軸の回転をカムチェーンによって伝達し、プッシュロッドおよびロッカーアームを介して給・排気弁を作動させる内燃機関において、チェーンガイドの下端近傍に設けられた第１の突起をクランクケースのクランク軸近傍に設けられた第１の位置決め溝に嵌合させるとともに、シリンダブロックの下面に設けられ、突起固定位置から開口部に向かって次第に拡大する第２の位置決め溝に上記チェーンガイドの第２の突起を嵌合させるようにしたことを特徴とするものである。
【０００６】
本発明は前記のように構成されており、第２の位置決め溝をシリンダブロックの下面に設けるので、カム軸の位置が低く、またクランク軸の真上から大きくずれている場合でも、上側の位置決め溝の位置を自由に決定できる。また第２の位置決め溝が、チェーンガイドの第２の突起の固定位置から開口部に向かって次第に拡大しているので、チェーンガイドとシリンダブロックの組付けに際して、干渉個所を逃して通過させた後、突起を位置決め溝に容易に挿入することができ、組立作業が簡単になる。
【０００７】
【発明の実施の形態】
図１は本発明の実施の一形態が適用された内燃機関の一部をカムチェーンとチェーンガイドの位置で切断して示す正面図、図２は同じくピストンの位置で切断して示す正面図である。図３は本実施形態のチェーンガイドを示す正面図、図４は同じく側面図である。図５は図４のＶ−Ｖ矢視断面図、図６は同じくVI−VI矢視断面図、図７は同じくVII−VII矢視断面図である。図８は本実施形態のシリンダブロックを示す底面図、図９は図８のIX−IX矢視断面図である。
【０００８】
まず図１および図２において、クランク軸スプロケット１とカム軸スプロケット２との間にカムチェーン３が巻掛けられ、クランク軸１ａの回転をカム軸２ａに伝達する。４はクランクケース、５はシリンダブロック、６はシリンダヘッド、７はヘッドカバーであって、順次組上げられ、固定される。
【０００９】
本実施形態は、いわゆるオーバーヘッドバルブ方式であって、カム軸２ａがシリンダボアの外部に設けられており、カム２ｂの回転によりプッシュロッド21およびロッカーアーム22を介して給・排気弁23を作動させるようになっている。したがって、カム軸２ａの位置が低く、またクランク軸１ａの真上から大きくずれている。そして、カムチェーン３の回送方向が鉛直方向から偏っている。その回送方向に沿ってチェーンガイド８が配される。
【００１０】
チェーンガイド８の形状は、図３ないし図７に示されるように、下端に第１の突起８ａ、上部に第２の突起８ｂが、設けられている。第１の突起８ａは、チェーンガイド８が取付けられた時にほぼ鉛直下方を向くようになっている。第２の突起８ｂはチェーンガイド８の上部から両側に突出している。
【００１１】
クランクケース４のクランク軸１ａ近傍には、図１に示されるように、上記第１の突起８ａが嵌合する第１の位置決め溝９が設けられている。またシリンダブロック５の下面には、図８および図９に示されるように、上記第２の突起８ｂが嵌合する第２の位置決め溝10が設けられる。この第２の位置決め溝10は、図９で明らかなように、第２の突起８ｂの固定位置から開口部に向かって次第に拡大している。なお、図８の24はシリンダボア、25はチェーン室をそれぞれ示す。
【００１２】
また、11は上記チェーンガイド８と対向する位置でカムチェーン３に沿って配されたチェーンテンショナーであって、下端が枢軸11ａにより枢支され、上部が油圧装置12によりカムチェーン３に押しつけられて、カムチェーン３のゆるみを抑止する。
【００１３】
次にチェーンガイド８およびシリンダブロック５の取付方法について述べる。本実施形態のチェーンガイド８の長手方向は、カムチェーン３の回送方向と同様、鉛直方向から大きく偏っている。したがって、クランクケース４に植え込まれたスタッドボルトに沿ってシリンダブロック５を鉛直上方から組付ける際、チェーンガイド８がすでに所定位置に固定されていると、図１中の円Ａで明らかなように、チェーンガイド８の上端部がシリンダブロック５の内壁と干渉して、シリンダブロック５を取付けることができない。
【００１４】
そこで本実施例では、次のような手順でチェーンガイド８およびシリンダブロック５を組立てる。まず図１０に示されるように、第１の突起８ａを第１の位置決め溝９に挿入し、チェーンガイド８を幾分か鉛直に近く立て、シリンダブロック５壁の内方に逃がしておいて、シリンダブロック５を吊り下ろし狭い個所Ｂを通過させる。
【００１５】
狭い個所を通過した後、図１１に示されるように、チェーンガイド８を幾分傾け、シリンダブロック５を下げてゆくと、広く開口した第２の位置決め溝10にチェーンガイド８の第２の突起８ｂが捕捉されて、第２の位置決め溝10内に取り込まれる。さらにシリンダブロック５を下ろしてゆくと、第２の突起８ｂが第２の位置決め溝10の斜面に沿って導かれてチェーンガイド８は徐々に傾いてゆき、最終的には、図１２に示されるように、所定位置に収まる。
【００１６】
その後、図示しないボルト等で、シリンダブロック５をクランクケース４に固定すると、チェーンガイド８も所定位置に所定角度で固定される。
【００１７】
本実施形態においては、第２の位置決め溝10をシリンダブロック５の下面に設けるので、カム軸２ａの位置が低く、かつクランク軸１ａの真上から大きくずれているにもかかわらず、第２の位置決め溝10の位置設定が容易である。
【００１８】
また、第２の位置決め溝10が第２の突起８ｂの固定位置から開口部に向かって次第に拡大しているので、チェーンガイド８とシリンダブロック５とを組付ける際、互いに干渉する個所を逃がして通過させた後、シリンダブロック５を鉛直に吊り下ろしてゆくと、チェーンガイド８の第２の突起８ｂが第２の位置決め溝10に容易に捕捉されて第２の位置決め溝10内に取り込まれる。そして第２の突起８ｂは第２の位置決め溝10の次第に縮小する斜面に導かれて、奥の所定位置に収束する。したがって、組立作業が簡単・容易になる。
【図面の簡単な説明】
【図１】図１は本発明の実施の一形態が適用された内燃機関の一部をカムチェーンとチェーンガイドの位置で切断して示す正面図である。
【図２】図２は同じくピストンの位置で切断して示す正面図である。
【図３】図３は本実施形態のチェーンガイドを示す正面図である。
【図４】図４は同じく側面図である。
【図５】図５は図４のＶ−Ｖ矢視断面図である。
【図６】図６は同じくVI−VI矢視断面図である。
【図７】図７は同じくVII−VII矢視断面図である。
【図８】図８は本実施形態のシリンダブロックを示す底面図である。
【図９】図９は図８のIX−IX矢視断面図である。
【図１０】図１０は本実施形態でチェーンガイドおよびシリンダブロックを取付ける第１段階を示す図である。
【図１１】図１１は同じく第２段階を示す図である。
【図１２】図１２は同じく最終段階を示す図である。
【図１３】図１３は従来の内燃機関のカムチェーンとチェーンガイドの一例を示す正面図である。
【符号の説明】
１…クランク軸スプロケット、１ａ…クランク軸、２…カム軸スプロケット、２ａ…カム軸、２ｂ…カム、３…カムチェーン、４…クランクケース、５…シリンダブロック、６…シリンダヘッド、７…ヘッドカバー、８…チェーンガイド、８ａ…第１の突起、８ｂ…第２の突起、９…第１の位置決め溝、10…第２の位置決め溝、11…チェーンテンショナー、11ａ…枢軸、12…油圧装置，21…プッシュロッド、22…ロッカーアーム、23…給・排気弁、24…シリンダボア、25…チェーン室。
【図１】
0003802731.tif 000002
【図２】
0003802731.tif 000003
【図３】
0003802731.tif 000004
【図４】
0003802731.tif 000005
【図５】
0003802731.tif 000006
【図６】
0003802731.tif 000007
【図７】
0003802731.tif 000008
【図８】
0003802731.tif 000009
【図９】
0003802731.tif 000010
【図１０】
0003802731.tif 000011
【図１１】
0003802731.tif 000012
【図１２】
0003802731.tif 000013
【図１３】
0003802731.tif 000014